(57)【要約】【課題】  移動受信を行う放送受信装置において、任意の受信地点においてその受信地点の雑音環境に最適な雑音抑圧処理を可能にする。【解決手段】  位置情報取得手段１０６およびメモリ手段１０８に接続された抑圧パラメータ取得手段１０７を備え、位置情報取得手段１０６から得られる現在の受信位置より、その地点に適した雑音抑圧パラメータをメモリ手段１０８より読み出して雑音抑圧処理に用いる。【選択図】  図１
2006093941.tif 000002
【特許請求の範囲】
【請求項１】
アンテナと、
前記アンテナに接続された周波数変換・ＩＦ処理手段と、
前記周波数変換・ＩＦ処理手段に接続された復調手段と、
現在位置情報を取得する位置情報取得手段と、
地点位置ごとの雑音抑圧パラメータを格納したメモリ手段と、
前記位置情報取得手段と前記メモリ手段に接続された抑圧パラメータ取得手段と、
前記復調手段と前記抑圧パラメータ取得手段に接続された雑音抑圧手段と、
前記雑音抑圧手段に接続された提示手段とを備え、
前記抑圧パラメータ取得手段が現在位置情報から当該位置に適した雑音抑圧パラメータを前記メモリ手段より取得して前記雑音抑圧手段が雑音抑圧処理を行うことを特徴とする放送受信装置。
【請求項２】
アンテナと、
前記アンテナに接続された周波数変換・ＩＦ処理手段と、
前記周波数変換・ＩＦ処理手段に接続された復調手段と、
現在位置情報を取得する位置情報取得手段と、
通信網に接続された通信手段と、
前記位置情報取得手段と前記通信手段に接続された抑圧パラメータ取得手段と、
前記復調手段と前記抑圧パラメータ取得手段に接続された雑音抑圧手段と、
前記雑音抑圧手段に接続された提示手段とを備え、
前記抑圧パラメータ取得手段が現在位置情報から当該位置に適した雑音抑圧パラメータを前記通信手段により通信網経由で取得して前記雑音抑圧手段が雑音抑圧処理を行うことを特徴とする放送受信装置。
【請求項３】
通信網に接続された通信手段と、
多数の雑音抑圧パラメータを位置情報とを関連付けて格納した抑圧パラメータデータベースと、
前記抑圧パラメータデータベースに接続されたデータベースアクセス手段と、
前記通信手段と前記データベースアクセス手段とに接続された抑圧パラメータ検索手段とを備え、
前記抑圧パラメータ検索手段が前記通信手段により受信された位置情報を指標として前記データベースアクセス手段に前記抑圧パラメータデータベースを検索させて前記位置情報に適合した雑音抑圧パラメータを取得し、取得した雑音抑圧パラメータを応答として前記通信手段より送信することを特徴とするサーバ装置。
【請求項４】
アンテナと、
前記アンテナに接続された周波数変換・ＩＦ処理手段と、
前記周波数変換・ＩＦ処理手段に接続された復調手段と、
現在位置情報を取得する位置情報取得手段と、
通信網に接続された通信手段と、
前記位置情報取得手段と前記通信手段に接続された抑圧パラメータ取得手段と、
前記復調手段と前記抑圧パラメータ取得手段に接続された雑音抑圧手段と、
前記雑音抑圧手段に接続された提示手段と、
目的地入力手段と、
任意の現在位置から任意の目的地位置にいたる経路情報を納めた経路メモリ手段と、
前記目的地入力手段と前記経路メモリ手段および前記通信手段に接続された経路情報検索手段とを備え、
前記抑圧パラメータ取得手段が現在位置から目的地までの経路情報を前記通信手段によって通信網に送信し、応答として前記通信手段により受信される前記経路情報に沿った各受信地点に適した雑音抑圧パラメータを取得し、取得された雑音抑圧パラメータを用いて前記雑音抑圧手段が雑音抑圧処理を行うことを特徴とする放送受信装置。
【請求項５】
通信網に接続された通信手段と、
多数の雑音抑圧パラメータを位置情報とを関連付けて格納した抑圧パラメータデータベースと、
前記抑圧パラメータデータベースに接続された第１のデータベースアクセス手段と、
前記第１のデータベースアクセス手段に接続された抑圧パラメータ検索手段と、
目的地、出発地、および経由地の情報を指標として経路となる地点位置情報を格納した経路情報データベースと、
前記経路情報データベースに接続された第２のデータベースアクセス手段と、
前記第２のデータベースアクセス手段と前記抑圧パラメータ検索手段と前記通信手段に接続された地点毎データ取得手段とを備え、
前記地点毎データ取得手段が前記通信手段により受信された目的地、出発地、および経由地の情報を指標として前記第２のデータベースアクセス手段に経路情報データベースを検索させて経路となる地点位置情報を取得し、さらに取得された前記経路となる地点位置情報を指標に前記第１のデータベースアクセス手段に前記抑圧パラメータデータベースを検索させて前記位置情報に適合した雑音抑圧パラメータを取得し、取得した雑音抑圧パラメータを応答として前記通信手段より送信することを特徴とするサーバ装置。
【発明の詳細な説明】
【技術分野】
【０００１】
本発明は主として車両等に搭載され移動受信に供される放送受信装置および当該放送受信装置に雑音抑圧パラメータ情報を供給するサーバ装置に関するものである。
【背景技術】
【０００２】
車載を代表とする移動受信に供される放送受信装置は受信地点を特定しないという特徴から、さまざまな受信環境において良好な受信品質を確保することが求められる。受信品質を測る尺度としては、特にパルス性雑音、マルチパス雑音、弱電界雑音など種々の対雑音性能が、受聴者に知覚されやすいという事からも重視されており、これに対応するための各種の雑音抑圧技術が従来より多数提案されてきた。この雑音抑圧技術に関して最も先進的な技術の代表的なものとしては、たとえば特許文献１において開示されている技術がある。特許文献１において開示されている技術によれば、周波数軸上での減算処理に用いる雑音パターンデータと処理パラメータを適切に設定することにより非常に良好な雑音抑圧結果が得られることが知られている。
【０００３】
一方、受信状態の受信地点による差異に対応するための技術も一部提案されている。たとえば特許文献２において開示されている技術によれば、受信装置はサーバ装置から取得した受信状態情報をもとに、特定の放送チャンネルの受信品質が劣化した際に代替の放送チャンネル情報を取得して代替提示することが可能になる。
【特許文献１】特開平５−３１５９８５号公報
【特許文献２】特開２００４−１６５７２９号公報
【発明の開示】
【発明が解決しようとする課題】
【０００４】
しかしながら、上記した従来の放送受信装置およびサーバ装置において、特許文献１に開示されている技術に関しては、雑音パターンなど雑音抑圧処理パラメータ選択の指標として使用可能な情報は、主として受信装置自体によって取得されたその地点の電界強度に相当する情報のみであるという制限があった。受信時に課題となる雑音の発生源は受信装置自体が発生するものに加えて、たとえばＩＴＵ−Ｒ勧告などにおいて都市雑音として知られている雑多な人工物の不要輻射電波による背景雑音がある。この種の雑音は都市市街地域で多く、郊外田園地域ではきわめて少ないことが知られており、またマルチパス雑音においても都市市街地においては高層ビルなどによる近距離反射によるマルチパスが支配的であるのに対し、郊外地域においては山などによる遠距離の遅延の大きいマルチパスが主であるなど、受信品質に関係する雑音環境は地域差が大きいことが知られているが、このような差異は受信電界強度の情報から知ることは一般的には困難である。したがって特許文献１に代表される技術に関しては移動放送受信の際に任意の受信地点で最適な雑音抑圧性能を必ずしも発揮できるものではないという課題を有していた。
【０００５】
一方、特許文献２で開示されている技術に関しては、任意の受信地点において受信状態情報すなわち電界強度に相当する情報をサーバ装置から取得できるものの、当該電界強度に相当する情報は受信装置単体で取得できる電界強度情報と大きな差異がなく、なおかつ受信装置の動作も現在視聴されている番組の代替番組を求めて代替提示を行うのみで、受信性能の改善にはなんらの寄与もしないということから、適用範囲や適用効果が限定的なものであるという課題を有していた。
【０００６】
本発明は、前記従来の課題を解決するもので、移動放送受信において、任意の受信地点において、その地点の受信環境に適合した最適な雑音抑圧処理により良好な受信性能を実現する放送受信装置およびサーバ装置を提供することを目的とするものである。
【課題を解決するための手段】
【０００７】
上記した従来の課題を解決するために本発明は現在の受信地点情報を得るための位置取得手段と、受信地点に適した雑音抑圧処理パラメータを取得する抑圧パラメータ取得手段と、受信地点ごとの抑圧処理パラメータデータを格納したメモリ手段または抑圧処理パラメータデータをサーバ装置より取得するための通信手段と放送受信装置からの要求に応じて受信地点に適した抑圧処理パラメータデータを放送受信装置に伝送するサーバ装置を備えることを特徴とするものである。
【０００８】
このような構成によって、移動受信時に現在の受信地点位置情報を位置情報取得手段から取得し、この位置情報を指標に現在位置に最適な雑音抑圧処理パラメータを、ローカルに備えたメモリ手段ないしは通信手段経由でサーバ装置をアクセスすることによって取得して雑音抑圧処理を行うことによって任意の受信地点に最適な状態での放送受信を実現できることとなる。
【発明の効果】
【０００９】
以上のように本発明によれば、車載など移動受信を行う放送受信装置において任意の受信地点の雑音環境に最適の雑音抑圧処理を行うことが可能となるので、任意の受信地点において良好な受信性能を発揮できる放送受信装置を実現できるものである。
【発明を実施するための最良の形態】
【００１０】
以下本発明の実施の形態について図面を参照しながら説明する。
（実施の形態１）
図１は、本発明の実施の形態１における放送受信装置の構成を示すブロック図である。図１において、１０１はアンテナ、１０２はアンテナ１０１に接続された周波数変換・ＩＦ処理手段、１０３は周波数変換・ＩＦ処理手段１０２に接続された復調手段、１０６は位置情報取得手段、１０７は抑圧パラメータ取得手段、１０８はメモリ手段、１０４は復調手段１０３と抑圧パラメータ取得手段に接続された雑音抑圧手段、１０５は提示手段である。
【００１１】
アンテナ１０１で受信された高周波の放送波信号は周波数変換・ＩＦ処理手段１０２に入力されて所定の中間周波数信号に周波数変換され、さらに所定の帯域幅・信号強度に濾波・増幅されて復調手段１０３に出力される。復調手段１０３ではたとえばＦＭ放送、ＡＭ放送など放送の変調方式の形態に応じた復調処理が施され、音声信号や映像信号など放送のコンテンツ信号が取り出される。このコンテンツ信号には受信地点の受信環境によって雑音信号が混入している。この雑音信号が混入したコンテンツ信号は雑音抑圧手段１０４に入力される。一方、雑音抑圧手段１０４には抑圧パラメータ取得手段１０７も接続されている。抑圧パラメータ取得手段１０７においては、ＧＰＳ装置や慣性航法装置、電話通信網のセル情報取得装置などからなる位置情報取得手段１０６により取得される現在の受信地点位置情報をもとに、ＣＤやＤＶＤ、ハードディスク装置、半導体メモリ装置からなるメモリ手段１０８にあらかじめ記録されている各地点位置ごとの雑音抑圧パラメータ情報を読み出して、現在の受信地点の受信環境に適した雑音抑圧パラメータが雑音抑圧手段１０４に入力される。雑音抑圧手段１０４では復調手段１０３から入力された雑音信号が混入したコンテンツ信号に対し、抑圧パラメータ取得手段１０７から入力された雑音抑圧パラメータ値を用いて雑音抑圧処理が施され、コンテンツ信号に混入した雑音信号が抑圧されて信号品質の改善が行われたのちに提示手段１０５に対して出力される。ここでの雑音抑圧処理は周波数領域での減算フィルタ処理や時間領域での波形加工処理などが含まれる。提示手段１０５はスピーカやイヤホン、ＣＲＴや液晶、プラズマなどのディスプレイ装置などからなり、雑音抑圧手段１０４から出力される雑音抑圧後のコンテンツ信号を視聴者が視聴できる形式に変換し、最終的に視聴者に対して提示されることとなる。
【００１２】
以上のような構成をとれば、任意の受信地点において雑音抑圧手段１０４における雑音抑圧処理をそれぞれの受信地点に適した雑音抑圧パラメータによって行うことが可能となり、任意の受信地点において良好な受信性能を発揮しうる放送受信装置を実現できることとなる。なお、メモリ手段１０８はカーナビゲーション装置などで使用される地図情報メモリ装置と共用することも可能である。
【００１３】
（実施の形態２）
図２は本発明の実施の形態２にかかる放送受信装置の構成を示すブロック図である。図２において図１と同一の構成要素に関しては同一の符号を付与して説明を省略する。図２に示す本発明の実施の形態２にかかる放送受信装置では図１におけるメモリ手段１０８に替えて通信網１１０に接続された通信手段１０９を備えることを特徴とする。
【００１４】
また、図３は本発明の実施の形態２にかかるサーバ装置の構成を示すブロック図である。図３において、１１０は通信網、２０１は通信手段、２０２は抑圧パラメータ検索手段、２０３はデータベースアクセス手段、２０４は抑圧パラメータデータベースである。
【００１５】
次に、以上のように構成された実施の形態２における放送受信装置およびサーバ装置の動作について、両装置間の通信シーケンスを示す図４を用いて説明する。
【００１６】
図２に示す本発明の実施の形態２における放送受信装置においては、抑圧パラメータ取得手段１０７は位置情報取得手段１０６から得た受信地点位置情報を通信手段１０９に入力する。通信手段１０９は入力された受信地点位置情報を、通信網１１０を経由して本発明の実施の形態２におけるサーバ装置に送信する(図４のＳ１０)。この場合の通信網１１０としては公衆電話通信網、携帯電話通信網、インターネットおよびこれらの任意の組み合わせなどが利用できる。
【００１７】
図３に示す本発明の実施の形態２におけるサーバ装置においては、通信手段２０１によって本発明の実施の形態２における放送受信装置より送られた受信地点位置情報が通信網１１０を経由して受信される。通信手段２０１は受信された受信地点位置情報を抑圧パラメータ検索手段２０２に入力する。抑圧パラメータ検索手段２０２は入力された受信地点位置情報を検索キーとしてデータベースアクセス手段２０３を経由して、多数の受信地点における雑音抑圧パラメータ情報を受信地点位置情報と関連付けて格納した抑圧パラメータデータベース２０４を検索し、受信地点位置に適合した雑音抑圧パラメータ情報を取得する。取得された雑音抑圧パラメータ情報は通信手段２０１に入力され通信網１１０経由して本発明の実施の形態２にかかる放送受信装置に対する応答として送信される(図４のＳ１１）。この応答として送信された雑音抑圧パラメータ情報は図２に示す本発明の実施の形態２における放送受信装置の通信手段１０９により通信網１１０より受信される。抑圧パラメータ取得手段１０７は通信手段１０９により受信された雑音抑圧パラメータ情報を取得し、雑音抑圧手段１０４に入力して受信地点に適応した雑音抑圧処理が行われることとなる。
【００１８】
以上のような構成をとれば、雑音抑圧パラメータをデータベースとして放送受信装置と相互に通信するサーバ装置に納めることによって、放送受信装置に雑音抑圧パラメータを格納したメモリ手段を持つことなく任意の受信地点において雑音抑圧処理をそれぞれの受信地点に適した雑音抑圧パラメータによって行うことを可能とし、受信装置のコストを削減しつつ任意の受信地点において良好な受信性能を発揮しうる放送受信装置およびサーバ装置を実現できることとなる。
【００１９】
なお、上記説明では通信手段１０９を放送受信装置に組み込まれた形で説明を行ったが、たとえば携帯電話端末装置などを放送受信装置に接続する形で通信手段として使用できることは言うまでもない。
【００２０】
（実施の形態３）
図５は本発明の実施の形態３にかかる放送受信装置の構成を示すブロック図である。図５において図２と同一の構成要素に関しては同一の符号を付与して説明を省略する。図５に示す本発明の実施の形態３にかかる放送受信装置では目的地入力手段１１１と経路情報検索手段１１２および経路メモリ手段１１３とを備え、図２における抑圧パラメータ取得手段１０７に替えて抑圧パラメータ蓄積手段１１４を備えたことを特徴としている。
【００２１】
また、図６は本発明の実施の形態３にかかるサーバ装置の構成を示すブロック図である。図６において図３と同一の構成要素に関しては同一の符号を付与して説明を省略する。図６に示す本発明の実施の形態３にかかるサーバ装置においては通信手段２０１に接続された地点毎データ取得手段２０６と地点毎データ取得手段２０６に接続された第２のデータベースアクセス手段２０５と経路情報データベース２０７を備えることを特徴としている。
【００２２】
次に、以上のように構成された実施の形態３における放送受信装置およびサーバ装置の動作について、両装置間の通信シーケンスを示す図７を用いて説明する。
【００２３】
図５に示す本発明の実施の形態３における放送受信装置においては、まず視聴者の操作によって目的地入力手段１１１から放送を受信しつつ移動する移動先目的地が入力される。目的地入力手段１１１から入力された目的地情報は、経路情報検索手段１１２に入力され現在位置情報と目的地情報をもとに経路メモリ手段１１３をアクセスして現在位置から目的地にいたる経路情報が取得される。この経路情報はたとえば図８（ａ）の経路情報の一例に示すように経路上の主要地点名などの識別情報を羅列したリストデータなどが使用される。もちろんこの経路情報の形式はこれに限定されるものではなく地点名を符号化したものや緯度経度情報など任意の形式が利用できる。さて、以上のようにして取得された経路情報は通信手段１０９によって通信網１１０を経由して図６に示す本発明の実施の形態３にかかるサーバ装置に送信される（図７のＳ２０）。図６に示す本発明の実施の形態３にかかるサーバ装置においては通信手段２０１によって図５に示す本発明の実施の形態３における放送受信装置から送信された経路情報が受信され地点毎データ取得手段２０６に入力される。地点毎データ取得手段２０６は入力された経路情報をもとにデータベースアクセス手段２０５を経由して経路情報データベースをアクセスし、入力された経路情報にそって移動する際に通過する一連の詳細な地点位置情報を取得する。次に地点毎データ取得手段２０６は取得された一連の詳細な地点位置情報を構成する各々の地点位置毎に抑圧パラメータ検索手段２０２を用いてデータベースアクセス手段２０３を経由して抑圧パラメータデータベース２０４を検索し、その地点の受信環境に適した雑音抑圧パラメータ情報を逐次取得する。以上のようにして図８（ｂ）の地点毎雑音抑圧パラメータ情報の一例にその代表的な構造を示すような地点位置情報とその地点位置における雑音抑圧パラメータとを対にした一連の地点毎雑音抑圧パラメータ情報データが取得されることとなる。この一連の地点毎雑音抑圧パラメータ情報データは通信手段２０１によって通信網１１０を経由して図５に示す本発明の実施の形態３にかかる放送受信装置に対する応答として返信される(図７のＳ２１）。図５に示す本発明の実施の形態３にかかる放送受信装置においては通信網１１０より通信手段１０９によって図６に示す本発明の実施の形態３にかかるサーバ装置から返信された一連の地点毎雑音抑圧パラメータ情報データが受信され抑圧パラメータ蓄積手段１１４に入力される。抑圧パラメータ蓄積手段１１４では入力された一連の地点毎雑音抑圧パラメータ情報を一時的に蓄積し、位置情報取得手段１０６から取得される現在位置情報と逐次比較して、現在位置情報が蓄積されている一連の地点毎雑音抑圧パラメータ情報に含まれる位置情報と所定の精度範囲内で一致したときにその位置情報に対応した雑音抑圧パラメータを雑音抑圧手段１０４に出力する。雑音抑圧手段１０４では入力された雑音抑圧パラメータを用いて雑音抑圧処理が行われる。
【００２４】
以上のような構成をとれば、移動開始時に１回のみ放送受信装置とサーバ装置間の通信が行われるのみで移動経路上のすべての地点でその地点の受信環境に適合した雑音抑圧処理を行うことが可能となり、移動中に継続して現在位置情報などを通信網に対して送信する必要がなくなるので、より少ない通信コストで、また通信網に負荷をかけることなく移動経路上のすべての地点で良好な受信性能を発揮する放送受信装置およびサーバ装置を実現できるものである。
【００２５】
なお、すでに述べたように図８（ａ）および（ｂ）に示すデータ構造はあくまでも一例であり、これに限定されるものでないことは言うまでもない。さらに目的地入力手段１１１と経路情報検索手段１１２および経路メモリ手段１１３はカーナビゲーション装置などの経路検索機能を転用して実現することも可能である。
【産業上の利用可能性】
【００２６】
本発明にかかる放送受信装置およびサーバ装置は、移動受信を行う放送受信装置において、任意の受信地点の雑音環境に最適の雑音抑圧処理を行うことが可能となり、任意の受信地点において良好な受信性能を発揮できる放送受信を実現できるので、特に車載用途などにおいて有用である。また、携帯電話など移動通信端末に搭載された放送受信装置に対しても適用可能である。
【図面の簡単な説明】
【００２７】
【図１】本発明の実施の形態１における放送受信装置の構成を示すブロック図
【図２】本発明の実施の形態２における放送受信装置の構成を示すブロック図
【図３】本発明の実施の形態２におけるサーバ装置の構成を示すブロック図
【図４】本発明の実施の形態２における放送受信装置とサーバ装置との間の通信シーケンスを示す図
【図５】本発明の実施の形態３における放送受信装置の構成を示すブロック図
【図６】本発明の実施の形態３におけるサーバ装置の構成を示すブロック図
【図７】本発明の実施の形態３における放送受信装置とサーバ装置との間の通信シーケンスを示す図
【図８】本発明の実施の形態３における経路情報の一例および抑圧パラメータ情報の一例を示す模式図
【符号の説明】
【００２８】
１０１  アンテナ
１０２  周波数変換・ＩＦ処理手段
１０３  復調手段
１０４  雑音抑圧手段
１０５  提示手段
１０６  位置情報取得手段
１０７  抑圧パラメータ取得手段
１０８  メモリ手段
１０９，２０１  通信手段
１１０  通信網
１１１  目的地入力手段
１１２  経路情報検索手段
１１３  経路メモリ手段
１１４  抑圧パラメータ蓄積手段
２０２  抑圧パラメータ検索手段
２０３、２０５  データベースアクセス手段
２０４  抑圧パラメータデータベース
２０６  地点毎データ取得手段
２０７  経路情報データベース
【図１】
2006093941.tif 000003
【図２】
2006093941.tif 000004
【図３】
2006093941.tif 000005
【図４】
2006093941.tif 000006
【図５】
2006093941.tif 000007
【図６】
2006093941.tif 000008
【図７】
2006093941.tif 000009
【図８】
2006093941.tif 000010